(57)【要約】      （修正有）【課題】用紙の後部に記入する場合でも腕が綴じ具に接触することを抑制することができる綴じ具システムを提供する。【解決手段】綴じ具システムは、第一軸及び該第一軸に連結する第一リング１５を有する第一綴じ具１と、第二軸及び該第二軸に連結する第二リング２５を有する第二綴じ具２とを備え、第一軸及び第二軸の軸方向における第二綴じ具２の長さは、第一綴じ具１よりも短く、第一綴じ具１及び第二綴じ具２は、紙葉４０の縁の一端部及び他端部を綴じるように、配置されている。【選択図】図９
0003217876.tif 000002
【実用新案登録請求の範囲】
【請求項１】
第一リングを有する第一綴じ具と、
第二リングを有する第二綴じ具と
を備え、
前記第二リングの軸方向における前記第二綴じ具の長さは、前記第一リングの軸方向における前記第一綴じ具の長さよりも短く、
前記第一綴じ具及び第二綴じ具は、紙葉の縁の一端部及び他端部を綴じるように、配置されている
綴じ具システム。
【請求項２】
前記第二リングの数は前記第一リングよりも少ない
請求項１に記載の綴じ具システム。
【請求項３】
前記第一リングの数と前記第二リングの数との比は、６：４〜９：１である
請求項２に記載の綴じ具システム。
【考案の詳細な説明】
【技術分野】
【０００１】
本技術は、紙葉を綴じる綴じ具システムに関する。
【背景技術】
【０００２】
長方形の用紙の長辺に沿って複数の綴じ孔を形成し、前記長辺の一端部及び他端部を二つの同じ綴じ具によってそれぞれ綴じるバインダーノートが従来提案されている。綴じ具はリングを有し、該リングは綴じ孔に挿入されている。前記長辺において、二つの綴じ具の間には空間が設けられている。そのためバインダーノートを開き、右腕を使って左側の用紙の前部に記入する場合、又は左腕を使って右側の用紙の前部に記入する場合、腕は前記空間に配置され、綴じ具に腕が接触することが防止される（例えば特許文献１参照）。
【先行技術文献】
【特許文献】
【０００３】
【特許文献１】特開平１１―４８６７１号公報
【考案の概要】
【考案が解決しようとする課題】
【０００４】
前記バインダーノートにおいては、例えば、用紙のユーザ側部分に記入する場合、腕が綴じ具に接触するおそれがある。
【０００５】
本開示は係る事情に鑑みてなされたものであり、用紙に記入する場合でも腕が綴じ具に接触することを更に抑制することができる綴じ具システムを提供することを目的とする。
【課題を解決するための手段】
【０００６】
本開示に係る綴じ具システムは、第一リングを有する第一綴じ具と、第二リングを有する第二綴じ具とを備え、前記第二リングの軸方向における前記第二綴じ具の長さは、前記第一リングの軸方向における前記第一綴じ具の長さよりも短く、前記第一綴じ具及び第二綴じ具は、紙葉の縁の一端部及び他端部を綴じるように、配置されている。
【０００７】
本開示においては、第二綴じ具の長さは第一綴じ具よりも短い。紙葉の縁の一端部及び他端部、例えばユーザから離れた端部及びユーザ側の端部を綴じるように、第一綴じ具及び第二綴じ具をそれぞれ配置させることによって、第一綴じ具及び第二綴じ具の間の空間がユーザ寄りに配置される。そのため、ノートを開いた状態において、紙葉のユーザ側部分に記入する場合でも、腕が綴じ具に接触し難い。
【０００８】
本開示に係る綴じ具システムは、前記第二リングの数は前記第一リングよりも少ない。
【０００９】
本開示においては、第二綴じ具の第二リングの数は、第一綴じ具の第一リングの数よりも少ない。隣り合う二つの第一リングの間の寸法及び隣り合う二つの第二リングの間の寸法が同じ寸法である場合、第二綴じ具の長さは第一綴じ具よりも短くなり、第一綴じ具及び第二綴じ具の間の空間がユーザ寄りに配置され、紙葉のユーザ側部分に記入する場合でも、腕が綴じ具に接触し難い。
【００１０】
本開示に係る綴じ具システムは、前記第一リングの数と前記第二リングの数との比は、６：４〜９：１である。
【００１１】
本開示においては、第一リング及び第二リングの数の比率を６：４〜９：１とすることによって、二つの綴じ具の間の空間をユーザ寄りに配置させることが実現される。
【考案の効果】
【００１２】
本開示に係る綴じ具システムにあっては、第二綴じ具の長さは第一綴じ具よりも短い。紙葉の縁の一端部及び他端部、例えばユーザから離れた端部及びユーザ側の端部を綴じるように、第一綴じ具及び第二綴じ具をそれぞれ配置させることによって、第一綴じ具及び第二綴じ具の間の空間がユーザ寄りに配置される。そのため、ノートを開いた状態において、紙葉のユーザ側部分に記入する場合でも、腕が綴じ具に接触し難くなり、用紙への記入を円滑に行うことができる。
【図面の簡単な説明】
【００１３】
【図１】開いた状態の第一綴じ具及び第二綴じ具を示す斜視図である。
【図２】開いた状態の第一綴じ具を示す平面図である。
【図３】開いた状態の第一綴じ具を示す側面図である。
【図４】開いた状態の第一綴じ具を示す底面図である。
【図５】図２に示すＶ―Ｖ線を切断線とした断面図である。
【図６】開いた状態の第一綴じ具を示す部分拡大底面図である。
【図７】開いた状態の第一半リングを示す側面図である。
【図８】第一綴じ具、第二綴じ具及び紙葉を備えるノートの見開いた状態を示す平面図である。
【図９】紙葉の後部への記入の一例を示す平面図である。
【考案を実施するための形態】
【００１４】
以下、本考案に係る綴じ具システムを図面に基づいて説明する。図１は、開いた状態の第一綴じ具及び第二綴じ具を示す斜視図、図２は、開いた状態の第一綴じ具を示す平面図、図３は、開いた状態の第一綴じ具を示す側面図、図４、開いた状態の第一綴じ具を示す底面図、図５は、図２に示すＶ―Ｖ線を切断線とした断面図である。綴じ具システムは、第一綴じ具１及び第二綴じ具２を備える。
【００１５】
第一綴じ具１は、第一軸１０と、該第一軸１０から突出し、第一軸１０の軸方向に並んだ複数の第一半リング１１とを備える。図５に示すように、第一軸１０に直角な切断面において、第一軸１０の断面形状は矩形をなす。第一軸１０における矩形断面の一端側部分、換言すれば第一軸１０の一側面部１０ａに第一半リング１１が連結している。
【００１６】
第一綴じ具１は、第二軸２０と、該第二軸２０から突出し、第二軸２０の軸方向に並んだ複数の第二半リング２１とを備える。第二軸２０に直角な切断面において、第二軸２０の断面形状は矩形をなす。第二軸２０における矩形断面の一端側部分、換言すれば第二軸２０の一側面部２０ａに第二半リング２１が連結している。第一半リング１１及び第二半リング２１はリングを構成する。
【００１７】
第一軸１０及び第二軸２０は略同じ長さを有し、平行である。第一軸１０及び第二軸２０の軸方向位置は略同じである。第一軸１０における矩形断面の他端側部分、換言すれば第一軸１０の他側面部１０ｂと、第二軸２０における矩形断面の他端側部分、換言すれば第二軸２０の他側面部２０ｂとは、ヒンジ３０を介して連結されている。第一軸１０及び第二軸２０の軸方向に沿ってヒンジ３０は延び、第一軸１０及び第二軸２０よりも薄肉に形成されている。ヒンジ３０を介して、第一軸１０及び第二軸２０を回転させることができる。
【００１８】
第一半リング１１及び第二半リング２１の軸方向は、第一軸１０及び第二軸２０に平行な方向である。第一半リング１１及び第二半リング２１それぞれの頂部が同じ方向を向くように、第一半リング１１及び第二半リング２１は湾曲している。第一半リング１１は、その先端部が第一軸１０の一端部側に配置されるように、第一軸１０から螺旋状に突出している。第二半リング２１は、その先端部が第一軸１０の他端部側に配置されるように、第二軸２０から螺旋状に突出している。即ち、第一半リング１１及び第二半リング２１の螺旋の向きは逆向きである。
【００１９】
第一半リング１１及び第二半リング２１の数は同じであり、第一半リング１１及び第二半リング２１はそれぞれ対応している。第一半リング１１及び第二半リング２１の数は、例えば６個である。なお、第一半リング１１及び第二半リング２１の数は上述の数に限定されず、第一綴じ具１の仕様に応じて、適宜変更される。第一軸１０及び第二軸２０を回転させて、第一半リング１１及び第二半リング２１を接近させた場合、第一半リング１１及び第二半リング２１それぞれの先端部は突き合わされる。
【００２０】
図６は、開いた状態の第一綴じ具１を示す部分拡大底面図、図７は、開いた状態の第一半リング１１を示す側面図である。第一半リング１１の先端部に、第一軸１０の一端部側に突出した第一爪１２が形成されている。第一爪１２は略三角形状をなし、第一半リング１１の外周面部分において、第一爪１２に隣接する凹状の第一受部１３が形成されている。第一受部１３は、第一半リング１１の径方向中央に向けて窪んでいる。側面視において、第一爪１２の形状と第一受部１３の形状とは、第一爪１２及び第一受部１３の境界線上の中点Ｃに関し、点対称な関係にある。また第一半リング１１部の内周面部分において、第一受部１３に対応する位置に第一ガイド板１４が形成されている。
【００２１】
第二半リング２１に、第一軸１０の他端部側に突出した第二爪２２が形成されている。第二爪２２は略三角形状をなし、第二半リング２１の外周面部分において、第二爪２２に隣接する凹状の第二受部２３が形成されている。第二受部２３は、第二半リング２１の径方向中央に向けて窪んでいる。側面視において、第二爪２２の形状と第二受部２３の形状とは、第二爪２２及び第二受部２３の境界線上の中点に関し、点対称な関係にある。また第二半リング２１部の内周面部分において、第二受部２３に対応する位置に第二ガイド板２４が形成されている。
【００２２】
なお図７の視点とは逆の視点から見た場合、第二爪２２、第二受部２３及び第二ガイド板２４は、図７に示す第一爪１２、第一受部１３及び第一ガイド板１４と同様な形状をなすので、図７にて、第二爪２２、第二受部２３及び第二ガイド板２４の符号を括弧書きで付す。
【００２３】
第二綴じ具２は、第一綴じ具１と同様に、第一軸１０、第一半リング１１、第一爪１２、第一受部１３及び第一ガイド板１４、第二軸２０、第二半リング２１、第二爪２２、第二受部２３及び第二ガイド板２４、ヒンジ３０を備える。第二綴じ具２の構成は、第二綴じ具２の第一半リング１１及び第二半リング２１の数が、第一綴じ具１の第一半リング１１及び第二半リング２１数よりも少ないことを除けば、第一綴じ具１と同様な構成であるので、第一綴じ具１と同様な構成に同じ符号を付し、その詳細な説明を省略する。なお第一綴じ具１の第一半リング１１及び第二半リング２１は第一リング１５（図８、図９参照）を構成し、第二綴じ具２の第一半リング１１及び第二半リング２１は第二リング２５（図８、図９参照）を構成する。
【００２４】
第一軸１０及び第二軸２０の軸方向、即ち第一リング１５及び第二リング２５の軸方向において、隣り合う二つの第一半リング１１の間の寸法及び隣り合う二つの第二半リング２１の間の寸法は同じである。即ち、隣り合う二つの第一リング１５の間の寸法と、隣り合う二つの第二リング２５の間の寸法とは同じである。第二綴じ具２の第二リング２５の数が、第一綴じ具１の第一リング１５の数よりも少ないので、第二リング２５の軸方向における第二綴じ具２の長さは、第一リング１５の軸方向における第一綴じ具１の長さよりも短い。
【００２５】
なお第二綴じ具２の第一半リング１１及び第二半リング２１の数は、４個に限定されず、第一綴じ具１の第一半リング１１及び第二半リング２１の数よりも少なければよい。第一綴じ具１の第一半リング１１及び第二半リング２１の数と、第二綴じ具２の第一半リング１１及び第二半リング２１の数との比率は、紙葉への取り付け易さ及び第二綴じ具２の剛性などを考慮すると、例えば６：４〜９：１の範囲にあればよく、好ましくは、６：４〜８：２の範囲にあればよく、更に好ましくは、６：４〜７：３の範囲にあればよい。
【００２６】
図８は、第一綴じ具１、第二綴じ具２及び紙葉４０を備えるノートの見開いた状態を示す平面図である。以下の説明では、図に示す前後左右を使用する。紙葉４０は長方形をなし、紙葉４０の一方の長辺に沿って複数の綴じ孔４１が長手方向に並設されている。
【００２７】
紙葉４０に形成された綴じ孔４１に、第一綴じ具１又は第二綴じ具２の第一半リング１１及び第二半リング２１を挿入し、第一半リング１１及び第二半リング２１を接近させた場合、第一爪１２及び第二爪２２は突き合わされる。前述したように、第一半リング１１及び第二半リング２１の螺旋の向きは逆向きなので、第一爪１２及び第二爪２２は接触し、第一半リング１１及び第二半リング２１はねじれ、第一爪１２は第二ガイド板２４に案内されて第二受部２３に嵌まり、第二爪２２は第一ガイド板１４に案内されて第一受部１３に嵌まる。即ち、第一爪１２及び第二爪２２は係合し、第一半リング１１及び第二半リング２１は第一リング１５又は第二リング２５を形成する。紙葉４０は綴じられる。紙葉４０を取り外す場合、軸方向において、第一半リング１１及び第二半リング２１を逆向きに移動させて、第一爪１２及び第二爪２２の係合を解除させて、第一綴じ具１及び第二綴じ具２を開く。そして、紙葉４０を第一綴じ具１及び第二綴じ具２から取り外す。
【００２８】
第一綴じ具１は、紙葉４０の長辺の前端部を綴じている。第一綴じ具１の第一リング１５は、前端部の綴じ孔４１に挿入されている。第二綴じ具２は、前記長辺の後端部を綴じている。第二綴じ具２の第二リング２５は、後端部の綴じ孔４１に挿入されている。第二綴じ具２の第二リング２５の数は、第一綴じ具１の第一リング１５よりも少ないので、第一綴じ具１及び第二綴じ具２の前後間における空間４２は、前記長辺の後寄りに配置される。ノートを開いた場合、第一綴じ具１及び第二綴じ具２の左右それぞれに紙葉４０が配置され、紙葉４０の長辺は前後方向に延びる。
【００２９】
図９は、紙葉４０の後部への記入の一例を示す平面図である。図９において、ユーザは紙葉４０の後部側に存在している。例えば、ユーザの右腕５０の指にて筆記具５１を把持し、左側の紙葉４０の後部、換言すればユーザ側部分に記入する場合、右腕５０は空間４２内に配置される。即ち、右腕５０は、紙葉４０の前部及び中央部に記入する場合のみならず、後部に記載する場合であっても、第一綴じ具１及び第二綴じ具２のいずれにも接触し難くなる。なおユーザの左腕の指にて筆記具５１を把持し、右側の紙葉４０の後部に記入する場合も同様である。
【００３０】
実施の形態に係る綴じ具システムにあっては、軸方向における第二綴じ具２の長さは、第一綴じ具１よりも短い。紙葉４０の長辺の前端部及び後端部、換言すれば、ユーザから離れた部分及びユーザ側部分を綴じるように、第一綴じ具１及び第二綴じ具２をそれぞれ配置させることによって、第一綴じ具１及び第二綴じ具２の間の空間４２が後寄り、即ちユーザ寄りに配置される。そのため、ノートを開いた状態において、紙葉４０の後部、即ちユーザ側部分に記入する場合でも、ユーザの腕が第二綴じ具２に接触し難くなり、紙葉４０への記入を円滑に行うことができる。
【００３１】
隣り合う二つの第一リング１５の間の寸法及び隣り合う二つの第二リング２５の間の寸法が同じ寸法であり、且つ第二リング２５の数が第一リング１５の数よりも少ないので、前記軸方向において、第二綴じ具２は第一綴じ具１よりも短い。第一綴じ具１及び第二綴じ具２の間の空間４２が後寄り、即ちユーザ寄りに配置され、紙葉４０の後部、即ちユーザ側部分に記入する場合でも、ユーザの腕が第二綴じ具２に接触し難くなる。
【００３２】
また第一綴じ具１の第一半リング１１及び第二半リング２１の数と、第二綴じ具２の第一半リング１１及び第二半リング２１の数との比率を６：４〜９：１とすることによって、第一綴じ具１及び第二綴じ具２の間の空間４２を後寄り、即ちユーザ寄りに配置させることが実現される。
【００３３】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００３４】
１  第一綴じ具
２  第二綴じ具
１０  第一軸
１１  第一半リング
１２  第一爪
１５  第一リング
２０  第二軸
２１  第二半リング
２２  第二爪
２５  第二リング
３０  ヒンジ
４０  紙葉
４１  綴じ孔
４２  空間
【図１】
0003217876.tif 000003
【図２】
0003217876.tif 000004
【図３】
0003217876.tif 000005
【図４】
0003217876.tif 000006
【図５】
0003217876.tif 000007
【図６】
0003217876.tif 000008
【図７】
0003217876.tif 000009
【図８】
0003217876.tif 000010
【図９】
0003217876.tif 000011